(57)【要約】【課題】レンズ保持枠を複数のガイドバーでガイドするのに適した構造のレンズ装置を提供する。【解決手段】レンズ装置１０は、孔１２８、１３０を有するレンズ鏡胴本体１１と、孔１２８、１３０にそれぞれ一方端が挿入されることによってレンズ鏡胴本体１１に支持されるガイドバー２８、３０と、ガイドバー２８、３０に係合されることによってガイドバー２８、３０に沿って移動自在に支持されるレンズ保持枠３２、３４と、孔１２８、１３０に挿入されることにより、ガイドバー２８、３０の一方端をガイドバー２８、３０に直交する方向に押圧する押さえ部材１３２、１３４と、を備える。押さえ部材１３２、１３４は、レンズ鏡胴本体１１に係合する脱落防止用の係合突起１３２ｃを有する。【選択図】  図３
2010066713.tif 000002
【特許請求の範囲】
【請求項１】
複数の取付孔を有するレンズ鏡胴本体と、
前記複数の取付孔にそれぞれ一方端が挿入されることによって、前記レンズ鏡胴本体に支持される複数のガイドバーと、
前記複数のガイドバーに係合されることによって該ガイドバーに沿って移動自在に支持される複数のレンズ保持枠と、
前記取付孔に挿入されることにより、前記ガイドバーの一方端を該ガイドバーに直交する方向に押圧する複数の押さえ部材と、を備え、
前記押さえ部材は、
前記ガイドバーの軸方向の移動を規制する壁面と、
前記レンズ鏡胴本体に係合して該レンズ鏡胴本体からの脱落を防止する係合部と、
を有することを特徴とするレンズ装置。
【請求項２】
前記押さえ部材は、前記複数のガイドバーを全て同じ方向に押圧することを特徴とする請求項１に記載のレンズ装置。
【請求項３】
前記押さえ部材は弾性材から成り、前記係合部の近傍に中空部を有することを特徴とする請求項１または２に記載のレンズ装置。
【請求項４】
前記取付孔は角孔であり、
前記押さえ部材は、前記取付孔に嵌め込まれる略矩形状の本体と、前記本体に略三角筒状に突出形成され、前記取付孔と前記ガイドバーとの隙間に圧入される圧入部と、前記本体の外面に突出形成された係合部と、を備えることを特徴とする請求項１〜３のいずれか１に記載のレンズ装置。
【請求項５】
前記レンズ保持枠は、前記複数のガイドバーのうちの一つのガイドバーに前記光軸方向に摺動自在に係合されるガイド部と、前記複数のガイドバーの別のガイドバーに係合されて回転方向の動きを規制する回り止め部と、を備えるとともに、前記複数のレンズ保持枠は前記ガイド部が異なるガイドバーに係合されることを特徴とする請求項１〜４のいずれか１に記載のレンズ装置。
【請求項６】
前記レンズ鏡胴本体には、前記ガイドバーの他方端が圧入される圧入用開口部が形成され、該圧入用開口部を成す壁面は、前記押さえ部材によって押圧される側の壁面厚みが、反対側の壁面厚みよりも大きいことを特徴とする請求項１〜５のいずれか１に記載のレンズ装置。
【発明の詳細な説明】
【技術分野】
【０００１】
本発明はレンズ装置に係り、特に携帯用の映像撮影装置に設けられるレンズ装置に関する。
【背景技術】
【０００２】
レンズ装置には、フォーカスレンズやズームレンズなど、光軸方向に移動する複数の撮影レンズが設けられている（たとえば特許文献１参照）。このような移動型の撮影レンズは通常、その保持枠が二本のガイドバーに係合されており、一方のガイドバーが光軸方向のメインガイドとして作用し、もう一方のガイドバーがレンズ保持枠の回り止めとして作用するようになっている。すなわち、レンズ保持枠には、メインガイドのガイドバーに摺動自在に係合されるガイド部と、回り止め用のガイドバーに係合して回転方向の動きを規制する回り止め部とが設けられる。ガイド部は、レンズ保持枠のガタつきを防止するため、軸方向に所定の長さを有しており、このガイド部がガイドバーに摺動することによって、レンズ保持枠が光軸方向に移動される。
【０００３】
ところで、移動型の撮影レンズを複数設ける場合、各撮影レンズのレンズ保持枠においてガイドバーを共通化することが行われている。たとえば、ズームレンズとフォーカスレンズを備えたレンズ装置では、メインガイドとなるガイドバーに、ズームレンズ側のガイド部とフォーカスレンズ側のガイド部を係合させるとともに、回り止め用のガイドバーにズームレンズ側の回り止め部とフォーカスレンズ側の回り止め部を係合させている。これにより、複数の撮影レンズで共通のガイドバーを使用することができ、部品点数を減らしてコストを低減することができる。
【０００４】
しかし、複数の撮影レンズでガイドバーを共通化した場合、レンズ装置を小型化できないという問題を生じる。すなわち、ガイド部は軸方向に所定の長さを必要とするため、一本のガイドバーに複数のガイド部を係合させると、軸方向に大きなスペースが必要になり、レンズ装置が軸方向に大型化するという問題が生じる。
【０００５】
そこで、複数のガイド部を二本のガイドバーに分けて配置する方法が考えられる。たとえば、第１のガイドバーにズームレンズ側のガイド部を係合させてズームレンズ側のメインガイドとする一方で、第２のガイドバーにフォーカスレンズ側のガイド部を係合させてフォーカスレンズ側のメインガイドとする。その際、第１のガイドバーにはフォーカスレンズ側の回り止め部を係合させ、第２のガイドバーにはズームレンズ側の回り止め部を係合させる。これにより、二つのガイド部が二本のガイドバーに分けて配置されるので、レンズ装置を小型化することができる。
【特許文献１】特開２００５−１１４８１１号公報
【発明の開示】
【発明が解決しようとする課題】
【０００６】
しかしながら、上記の場合には、二本のガイドバーがそれぞれメインガイドとなるため、二本のガイドバーをそれぞれ光軸に対して高い精度で平行に取り付けなければならず、組み立て作業に多大な労力が必要になるという問題があった。
【０００７】
また、各ガイドバーは、ガイド部のガイド孔の加工精度に応じて、あるいは、ガイドバーやガイド部のロッド毎に選択部品とすることが望まれるが、二本のガイドバーの両方をメインガイドした場合には、光軸に対して高い平行度を維持するために、ガイドバーを変更するたびに設計も変更しなければならず、ガイドバーを選択部品とすることができないという問題があった。
【０００８】
このような問題を解消する方法として、レンズ鏡胴本体にガイドバーの一方端よりも大きい取付孔を複数設けるとともに、この取付孔にガイドバーの一方端を挿入し、一方端と取付孔との隙間に押さえ部材を圧入する方法が考えられる。その際、押さえ部材によって全てのガイドバーの一方端を同じ方向に押圧することによって、全てのガイドバーを高い平行度でレンズ装置に組み付けることができる。また、径の異なるガイドバーであってもレンズ鏡胴本体に固定することができ、ガイドバーを選択部品とすることができる。
【０００９】
しかし、このような方法は、押さえ部材がレンズ鏡胴本体から脱落しやすいという問題がある。押さえ部材が脱落すると、ガイドバーが動いたり、脱落したりするので、ガイドバーをメインガイドとして使用できなくなる。
【００１０】
本発明はこのような事情に鑑みてなされたもので、レンズ保持枠を複数のガイドバーでガイドするのに適した構造のレンズ装置を提供することを目的とする。
【課題を解決するための手段】
【００１１】
請求項１に記載の発明は前記目的を達成するために、複数の取付孔を有するレンズ鏡胴本体と、前記複数の取付孔にそれぞれ一方端が挿入されることによって、前記レンズ鏡胴本体に支持される複数のガイドバーと、前記複数のガイドバーに係合されることによって該ガイドバーに沿って移動自在に支持される複数のレンズ保持枠と、前記取付孔に挿入されることにより、前記ガイドバーの一方端を該ガイドバーに直交する方向に押圧する複数の押さえ部材と、を備え、前記押さえ部材は、前記ガイドバーの軸方向の移動を規制する壁面と、前記レンズ鏡胴本体に係合して該レンズ鏡胴本体からの脱落を防止する係合部と、を有することを特徴とするレンズ装置を提供する。
【００１２】
本発明によれば、レンズ鏡胴本体の取付孔に係合する係合部を押さえ部材に設けたので、押さえ部材がレンズ鏡胴本体から脱落することを防止することができる。
【００１３】
また、本発明によれば、押さえ部材が、ガイドバーの軸方向の移動を規制する壁面を有するので、ガイドバーが取付孔から脱落することを押さえ部材によって防止することができる。
【００１４】
さらに本発明によれば、ガイドバーの一方端を、それよりも大きい取付孔に挿入して取り付ける構造なので、径の異なるガイドバーであってもレンズ鏡胴本体に固定することができる。したがって、ガイドバーを選択部品とすることができる。
【００１５】
請求項２に記載の発明は請求項１の発明において、前記押さえ部材は、前記複数のガイドバーを全て同じ方向に押圧することを特徴とする。本発明によれば、押さえ部材によって全てのガイドバーを同じ方向に押圧するので、複数のガイドバーは高い平行度でレンズ装置に組み付けられる。これにより、複数のガイドバーをそれぞれ、レンズ保持枠のメインガイドとして使用することができ、レンズ装置を小型化することができる。
【００１６】
請求項３に記載の発明は請求項１または２の発明において、前記押さえ部材は弾性材から成り、前記係合部の近傍に中空部を有することを特徴とする。
【００１７】
本発明によれば、係合部の近傍に中空部が形成されるので、押さえ部材を弾性変形させながら係合部をレンズ鏡胴本体に係合させることができる。また、本発明によれば、押さえ部材に中空部が形成されるので、押さえ部材の中空部を介して内部のガイドバーを視認することができる。
【００１８】
請求項４に記載の発明は請求項１〜３のいずれか１の発明において、記取付孔は角孔であり、前記押さえ部材は、前記取付孔に嵌め込まれる略矩形状の本体と、前記本体に略三角筒状に突出形成され、前記取付孔と前記ガイドバーとの隙間に圧入される圧入部と、前記本体の外面に突出形成された係合部と、を備えることを特徴とする。
【００１９】
本発明によれば、係合部によって矩形状の本体が取付孔から脱落することを防止することができる。また、三角柱状の圧入部によってガイドバーを取付孔のコーナー部に押圧して固定することができる。
【００２０】
請求項５に記載の発明は請求項１〜４のいずれか１の発明において、前記レンズ保持枠は、前記複数のガイドバーのうちの一つのガイドバーに前記光軸方向に摺動自在に係合されるガイド部と、前記複数のガイドバーの別のガイドバーに係合されて回転方向の動きを規制する回り止め部と、を備えるとともに、前記複数のレンズ保持枠は前記ガイド部が異なるガイドバーに係合されることを特徴とする。
【００２１】
本発明によれば、複数のレンズ保持枠が異なるガイドバーをメインガイドとしている。本発明は、このように複数のガイドバーをメインガイドとして使用する際に特に有効である。
【００２２】
請求項６に記載の発明は請求項１〜５のいずれか１の発明において、前記レンズ鏡胴本体には、前記ガイドバーの他方端が圧入される圧入用開口部が形成され、該圧入用開口部を成す壁面は、前記押さえ部材によって押圧される側の壁面厚みが、反対側の壁面厚みよりも大きいことを特徴とする。
【００２３】
本発明によれば、圧入用開口部の壁面が、押圧側に厚く、その反対側に薄いので、ガイドバーの他方端を圧入した際、押圧側の壁面は変形せず、反対側の壁面が変形する。したがって、押圧側の壁面を基準としてガイドバーを正確に位置決めして固定することができ、ガイドバーを光軸と平行に固定することができる。
【発明の効果】
【００２４】
本発明によれば、レンズ鏡胴本体の取付孔に内側から係合する係合部を押さえ部材に設けたので、押さえ部材がレンズ鏡胴本体の外側に脱落することを防止することができる。また、本発明によれば、押さえ部材によってガイドバーの端部が全て同じ方向に押圧されて固定されるので、複数のガイドバーを高い平行度でレンズ装置に組み付けることができ、複数のガイドバーをそれぞれメインガイドとして使用することができ、よって、レンズ装置を小型化することができる。
【発明を実施するための最良の形態】
【００２５】
以下添付図面に従って、本発明に係るレンズ装置の好ましい実施の形態について詳説する。
【００２６】
図１には、実施の形態に係るレンズ装置１０の側断面図が示されている。このレンズ装置１０は、撮影光軸前方側（被写体側）から撮影光軸後方（撮像側）に向って第１レンズ群１２、第２レンズ群１４、第３レンズ群１６、及び第４レンズ群１８から構成されており、これらの第１乃至第４レンズ群１２〜１８を通過した被写体光は、色分解光学系を構成する色分解プリズム２０を介して色分解プリズム２０のＲ、Ｇ、Ｂの各出射端に設けられた撮像素子２２、２４、２６に結像される。なお、このレンズ装置１０が装備されるカメラ本体（不図示）には、撮像素子２２、２４、２６から得られた撮像信号に所要の処理（ホワイトバランス、γ補正等）を施して所定形式の映像信号を生成する信号処理回路（不図示）等が搭載されている。
【００２７】
第１レンズ群１２はいわゆる前玉レンズであり、第２レンズ群１４は焦点距離を変更するバリエータレンズである。また、第３レンズ群１６はリレーレンズであり、第４レンズ群１８は焦点を調整するフォーカスレンズである。
【００２８】
これらの第１乃至第４レンズ群１２〜１８は、レンズ鏡胴本体１１内に保持されている。レンズ鏡胴本体１１内には、光軸と平行な一対のガイドバー２８、３０（図２参照）が挿通配置されており、このガイドバー２８、３０に第２レンズ群１４の保持枠３２及び第４レンズ群１８の保持枠３４がそれぞれスライド移動自在に支持される。
【００２９】
第２レンズ群１４のレンズ保持枠３２には、ねじ送り装置を構成するナット（不図示）が設けられ、このナットに、同じくねじ送り装置を構成する送りねじ（不図示）が螺合連結されている。この送りねじは、光軸と平行に配設されるとともに、その端部がズーム用ステッピングモータ（不図示）の出力軸に連結されている。ズーム用ステッピングモータのズームドライバ回路（不図示）にカメラ本体側からズーム信号が出力されると、ズーム用ステッピングモータはその信号に対応した方向に送りねじを回転駆動する。これによって、第２レンズ群１４がガイドバー２８、３０に沿って光軸方向に前後移動され、所望の焦点距離に調整される。
【００３０】
第４レンズ群１８のレンズ保持枠３４にも同様に、ねじ送り装置を構成するナット（不図示）が設けられ、このナットに、同じくねじ送り装置を構成する送りねじ（不図示）が螺合連結されている。この送りねじは、光軸と平行に配設されるとともに、その端部がフォーカス用ステッピングモータ（不図示）の出力軸に連結されている。フォーカス用ステッピングモータのフォーカスドライバ回路（不図示）にカメラ本体側からフォーカス信号が出力されると、フォーカス用ステッピングモータはその信号に対応した方向に送りねじを回転駆動する。これによって、第４レンズ群１８がガイドバー２８、３０に沿って光軸方向に前後移動され、焦点が合わされる。
【００３１】
一方、第３レンズ群１６は、レンズ鏡胴本体１１に固定されている。すなわち、第３レンズ群１６はレンズ保持枠３６に保持され、このレンズ保持枠３６がレンズ鏡胴本体１１に嵌合されて固定されている。
【００３２】
次に、本発明の特徴部分であるガイドバー２８、３０の取付機構について説明する。図２は、レンズ鏡胴本体１１に各構成部品を組み込んだ状態のレンズ装置１０を示す平面図であり、図３は、レンズ鏡胴本体１１にガイドバー２８、３０を組み込んだ状態を示す斜視図である。なお、図３は、本発明の特徴部分を示すため、レンズ鏡胴本体１１の形状を簡略化して示している。
【００３３】
これらの図に示すように、レンズ鏡胴本体１１の内部には、二本のガイドバー２８、３０が光軸Ｌと平行に配設されている。また、レンズ鏡胴本体１１の内部には、第２レンズ群１４の保持枠３２、第４レンズ群１８の保持枠３４が設けられており、これらの保持枠３２、３４が二本のガイドバー２８、３０に係合されている。
【００３４】
保持枠３２には、ガイド部１１０と回り止め部１１２が一体的に形成されている。ガイド部１１０は、光軸Ｌ方向に細長く形成され、その両端部１１０Ａ、１１０Ｂにガイドバー２８が挿通されるガイド孔（不図示）を備える。このガイド孔は、ガイドバー２８と略同じ寸法で形成されており、ガイドバー２８が摺動自在に挿通される。これにより、ガイド部１１０すなわち保持枠３２がガイドバー２８に沿ってスライド自在に支持される。なお、ガイド部１１０は、ガイドバー２８とのガタを防止するため、両端部１１０Ａ、１１０Ｂ（すなわちガイド孔）の間隔を光軸Ｌ方向に拡げる必要があり、光軸Ｌ方向に細長く形成されている。一方、回り止め部１１２には、その外側（図２の下側）から溝（不図示）が形成されており、この溝にガイドバー３０が係合されることによって、保持枠３２がガイドバー２８を中心に回転することが防止される。
【００３５】
上記の保持枠３２と同様に、保持枠３４には、ガイド部１１４と回り止め部１１６が一体的に形成されている。ガイド部１１４は、光軸Ｌ方向に細長く形成され、その両端部１１４Ａ、１１４Ｂに、ガイドバー３０が挿通されるガイド孔（不図示）を備える。このガイド孔は、ガイドバー３０と略同じ寸法で形成されており、ガイドバー３０が摺動自在に挿通される。これにより、ガイド部１１４すなわち保持枠３４がガイドバー３０に沿ってスライド自在に支持される。なお、ガイド部１１４は、ガイドバー３０とのガタを防止するため、両端部１１４Ａ、１１４Ｂ（すなわちガイド孔）の間隔を光軸Ｌ方向に拡げる必要があり、光軸Ｌ方向に細長く形成されている。一方、回り止め部１１６には、その外側（図２の上側）から溝（不図示）が形成されており、この溝にガイドバー２８が係合されることによって、保持枠３４がガイドバー３０を中心に回転することが防止される。
【００３６】
以上説明したように、ガイドバー２８には、保持枠３２のガイド部１１０が係合されており、ガイドバー２８は第２レンズ群１４のメインガイドとして作用する。一方、ガイドバー３０には、保持枠３４のガイド部１１４が係合されており、ガイドバー３０は第４レンズ群１８のメインガイドとして作用する。このため、ガイドバー２８、３０は、光軸Ｌに対して高い平行度が必要とされる。
【００３７】
ところで、ガイドバー２８は、図３に示すように、一方の端部２８Ｂがレンズ鏡胴本体１１の孔（圧入用開口部に相当）１２４に圧入されて固定され、もう一方の端部２８Ａがレンズ鏡胴本体１１の孔（取付孔に相当）１２８に遊挿された後、押さえ部材１３２によってレンズ鏡胴本体１１に固定される。
【００３８】
同様に、ガイドバー３０は、一方の端部３０Ｂがレンズ鏡胴本体１１の孔（圧入用開口部に相当）１２６に圧入されて固定され、もう一方の端部３０Ａがレンズ鏡胴本体１１の孔（取付孔に相当）１３０に遊挿された後、押さえ部材１３４によってレンズ鏡胴本体１１に固定される。
【００３９】
次に、押さえ部材１３２によるガイドバー２８の端部２８Ａの固定機構について詳説する。図４は、押さえ部材１３２を示す斜視図であり、図５（ａ）は押さえ部材１３２の（外側からの）正面図、図５（ｂ）は押さえ部材１３２の（内側からの）背面図である。また、図６は孔１２８の（外側からの）正面図であり、図７は、孔１２８に押さえ部材１３２を取り付けた状態を示す断面図である。なお、図７は、図５（ａ）の７−７線に沿う断面を示している。
【００４０】
図６に示すように、レンズ鏡胴本体１１の孔１２８は、光軸Ｌ方向に形成された角孔であり、ガイドバー２８の端部２８Ａよりも大きく開口されている。ガイドバー２８は、レンズ鏡胴本体１１の後端側から孔１２８を介して挿入され、レンズ鏡胴本体１１の内部に配置される。ここで、孔１２８を形成する側面のうち、図６における下面を１２８ａ、右側面を１２８ｂ、上面を１２８ｃ、左側面を１２８ｄとする。ガイドバー２８は、下面１２８ａと右側面１２８ｂを基準面として、下面１２８ａと右側面１２８ｂに当接するように挿入される。したがって、ガイドバー２８の上側及び左側には隙間が形成される。
【００４１】
孔１２８の入口部分は、孔１２８よりも大きな略矩形状の凹部になっている。これにより、孔１２８の上部、右側部、下部に段差部１２８ｅが形成される。さらに、孔１２８の上部には、後述の係合突起１３２ｃが係合される係合部１２８ｆが形成されている。
【００４２】
一方、押さえ部材１３２は、本体１３２ａ、圧入部１３２ｂ及び係合突起１３２ｃから成り、これらがポリアセタール等の弾性力の大きな材質によって一体的に形成されている。本体１３２ａは、孔１２８の凹部と同じ略矩形状に形成されており、孔１２８の凹部に嵌め込まれる。その際、本体１３２ａが段差部１２８ｅに当接することによって、押さえ部材１３２が光軸Ｌ方向に位置決めされる。本体１３２ａの略中央部には、中空部１３２ｄが形成されており、内部のガイドバー２８を中空部１３２ｄから視認できるようになっている。
【００４３】
圧入部１３２ｂは、孔１２８とガイドバー２８との隙間に挿入される部分であり、図５（ｂ）に示すように、本体１３２ａの背面に突出形成されている。また、圧入部１３２ｂは、上辺部１３２ｅ、側辺部１３２ｆ、斜辺部１３２ｇによって略三角筒状に形成されており、上辺部１３２ｅ、側辺部１３２ｆ、斜辺部１３２ｇの間には三角形状の中空部１３２ｈが形成され、斜辺部１３２ｇが中空部１３２ｈ側に弾性変形できるように構成されている。したがって、圧入部１３２ｂを孔１２８とガイドバー２８の隙間に挿入した際、斜辺部１３２ｇによってガイドバー２８を図６の右下方向に押圧することができる。
【００４４】
係合突起１３２ｃは、本体１３２ａの上部に突出形成されており、係合突起１３２ｃの近傍の本体１３２ａには中空部１３２ｉが形成される。したがって、係合突起１３２ｃが下側に入り込むように本体１３２ａを弾性変形することができる。これにより、図７に示すように係合突起１３２ｃをレンズ鏡胴本体１１の係合部１２８ｆに係合させることができる。
【００４５】
上記の如く構成された押さえ部材１３２は、図６に示すように、ガイドバー２８の端部２８Ａを孔１２８の右下コーナー部に配置した状態で、孔１２８に差し込まれる。その際、押さえ部材１３２の圧入部１３２ｂが孔１２８の左上コーナー部（孔１２８とガイドバー２８との隙間）に圧入されるとともに、押さえ部材１３２の本体１３２ａが孔１２８の凹部に嵌め込まれる。そして、押さえ部材１３２の本体１３２ａを孔１２８の段差部１２８ｅに当接するまで押し込んだ際に、押さえ部材１３２の係合突起１３２ｃがレンズ鏡胴本体１１の係合部１２８ｆに係合される。これにより、ガイドバー２８の端部２８Ａが押さえ部材１３２の圧入部１３２ｂの弾性力によって孔１２８の右下コーナー部に（すなわち孔１２８の面１２８ａ、１２８ｂに）押圧されて固定される。また、係合突起１３２ｃが係合部１２８ｆに係合されるので、押さえ部材１３２が外側に脱落することを防止できる。さらに、押さえ部材１３２の本体１３２ａがガイドバー２８の軸方向への移動を規制するので、ガイドバー２８が孔１２８を介して脱落することを防止することができる。
【００４６】
以上がガイドバー２８の端部２８Ａの固定機構の説明であり、ガイドバー３０の端部３０Ａの固定機構も、上述したガイドバー２８の端部２８Ａの固定機構と同様に構成される。すなわち、レンズ鏡胴本体１１の孔１３０は、光軸Ｌ方向に形成された角孔であり、ガイドバー３０の端部３０Ａよりも大きく開口されている。ガイドバー３０は、レンズ鏡胴本体１１の後端側から孔１３０を介して挿入され、レンズ鏡胴本体１１の内部に配置される。また、孔１３０の入口部分は、孔１３０よりも大きな略矩形状の凹部になっている。これにより、孔１３０の上部、右側部、下部に段差部（不図示）が形成される。さらに、孔１３０の上部には、押さえ部材１３４の係合突起が係合される係合部（不図示）が形成されている。
【００４７】
一方、押さえ部材１３４は押さえ部材１３２と同材質、同形状であり、その説明を省略する。なお、押さえ部材１３２と押さえ部材１３４を共通部品としてもよい。押さえ部材１３４は、ガイドバー３０の端部３０Ａを孔１３０の右下のコーナー部に配置した状態で、孔１３０に差し込まれる。その際、押さえ部材１３４の圧入部が孔１３０の左上のコーナー部（孔１２８とガイドバー２８との隙間）に圧入され、押さえ部材１３４の本体が孔１３０の凹部に嵌め込まれて孔１３０の段差部に当接され、押さえ部材１３４の係合突起がレンズ鏡胴本体１１の係合部に係合される。これにより、ガイドバー３０の端部３０Ａを押さえ部材１３４の弾性力によって孔１３０の右下のコーナー部に（すなわち孔１３０の右側と下側の面に）押圧されて固定される。また、押さえ部材１３４の係合突起がレンズ鏡胴本体１１の係合部に係合されるので、押さえ部材１３４が外側に脱落することを防止できる。さらに、押さえ部材１３４の本体がガイドバー３０の軸方向への移動を規制するので、ガイドバー３０が孔１３０を介して脱落することを防止することができる。
【００４８】
以上説明したように、ガイドバー２８の端部２８Ａは、押さえ部材１３２によって図３の右下コーナー部に押圧されて固定され、同様に、ガイドバー３０の端部３０Ａは、押さえ部材１３４の右下コーナー部に押圧されて固定される。したがって、ガイドバー２８の端部２８Ａとガイドバー３０の端部３０Ａとが同じ方向に押圧されて固定される。
【００４９】
このように二本のガイドバー２８、３０を同じ方向に押圧して固定することによって、二本のガイドバー２８、３０は、常に同じ面（図３の下側、右側の面）を基準面として位置決めされるので、ガイドバー２８とガイドバー３０を常に高い平行度で固定することができる。
【００５０】
次に、ガイドバー２８の端部２８Ｂの固定機構について詳説する。図８は、ガイドバー２８の端部２８Ｂが圧入される孔１２４を前方側から見た斜視図であり、図９（Ａ）、図９（Ｂ）は、ガイドバー２８の端部２８Ｂの固定状態を説明する縦断面図である。
【００５１】
レンズ鏡胴本体１１の孔１２４は、光軸Ｌ方向に形成された角孔であり、その一辺はガイドバー２８の端部２８Ｂの直径と略同じ寸法、あるいは若干小さい寸法で形成されている。
【００５２】
ここで、孔１２４を形成する四つの側面のうち、下面を面１２４ａ、図８で左側に位置する側面を１２４ｂ、上面を面１２４ｃ、図８で右側に位置する側面を面１２４ｄとする。なお、孔１２４の面１２４ａ、面１２４ｂ、面１２４ｃ、面１２４ｄの位置関係は、孔１２８の下面１２８ａ、右側面１２８ｂ、上面１２８ｃ、左側面１２８ｄに対応する。
【００５３】
図８の孔１２４は、面１２４ａ、１２４ｂを基準として加工される。具体的には、孔１２４の面１２４ａ、１２４ｂは、光軸Ｌに対する位置が、図６の孔１２８の面１２８ａ、１２８ｂと同じ位置関係になるように加工されている。
【００５４】
ところで、孔１２４を成す側壁は、面１２４ａ、面１２４ｂ側が厚く、面１２４ｃ、１２４ｄ側が薄く形成されている。すなわち、前述した押さえ部材１３２による押圧方向の壁が厚く、その反対側の壁が薄く形成されている。したがって、孔１２４の面１２４ａ、１２４ｂ側の側壁は変形しにくく、且つ、面１２４ｃ、１２４ｄ側の側壁が変形しやく構成されている。よって、孔１２４にガイドバー２８の端部２８Ｂを圧入すると、孔１２４の面１２４ｃ、１２４ｄ側の側壁が弾性変形し、その弾性力によってガイドバー２８の端部２８Ｂが孔１２４の面１２４ａ、１２４ｂに押圧されて固定される。その際、孔１２４の面１２４ａ、１２４ｂの側壁が厚く形成されているので、孔１２４の面１２４ａ、１２４ｂは変形することがない。たとえば図９（Ａ）、図９（Ｂ）に示すように、ガイドバー２８の端部２８Ｂを孔１２４に圧入すると、面１２４ｃの側壁が変形して応力を逃がす一方で、面１２４ａの側壁は変形せず、この面１２４ａを基準としてガイドバー２８が上下方向に位置決めされて固定される。同様に、面１２４ｄの側壁が変形して応力を逃がす一方で、面１２４ｂの側壁は変形せず、この面１２４ｂを基準としてガイドバー２８が左右方向に位置決めされて固定される。
【００５５】
このように孔１２４の面１２４ａ、１２４ｂを成す側壁を面１２４ｃ、１２４ｄの側壁よりも厚く形成することによって、面１２４ａ、１２４ｂを基準面としてガイドバー２８の端部２８Ｂを固定することができる。これにより、ガイドバー２８の両端部２８Ａ、２８Ｂが、同じ側の面（すなわち、面１２４ａ、面１２４ｂ、面１２８ａ、１２８ｂ）を基準として固定されるので、ガイドバー２８を光軸Ｌに平行に固定することができる。
【００５６】
以上がガイドバー２８の端部２８Ｂの固定機構の説明であるが、ガイドバー３０の端部３０Ｂの固定機構も、上述したガイドバー２８の端部２８Ｂの固定機構と同様に構成される。すなわち、レンズ鏡胴本体１１の孔１２６は、光軸Ｌ方向に形成された角孔であり、その一辺はガイドバー３０の端部３０Ｂの直径と略同じ寸法、あるいは若干小さい寸法で形成される。孔１２６は、図３における下側、右側の面（不図示）を基準として加工される。具体的には、孔１２６の下側、右側の面は、光軸Ｌに対する位置が、孔１３０の下側、右側の面と同じ位置関係になるように加工される。
【００５７】
孔１２６を成す側壁は、図３の下側、右側の面を成す側壁が、上側、左側を成す側壁よりも厚く形成されている。すなわち、前述した押さえ部材１３４による押圧方向の壁が厚く、その反対側の壁が薄く形成されている。したがって、孔１２６は、下側、右側の面を成す側壁は変形しにくく、且つ、上側、左側の面を成す側壁が変形しやく構成される。よって、孔１２６にガイドバー３０の端部３０Ｂを圧入すると、孔１２６の上側、左側の面を成す側壁が弾性変形し、その弾性力によってガイドバー３０の端部３０Ｂが孔１２６の下側、右側の面に押圧されて固定される。その際、孔１２６の下側、右側の面を成す側壁が厚く形成されているので、孔１２６の下側、右側の面を成す側壁は変形することがない。したがって、孔１２６の下側、右側の面を基準面として、ガイドバー３０の端部３０Ｂを固定することができる。これにより、ガイドバー３０の両端部３０Ａ、３０Ｂが、同じ側の面を基準として固定されるので、ガイドバー３０を光軸Ｌに平行に固定することができる。
【００５８】
以上説明したように、本実施の形態によれば、ガイドバー２８の端部２８Ａが押さえ部材１３２によって孔１２８内の（図３における）下側、右側の面に押圧されて固定され、同様に、ガイドバー３０の端部３０Ａが押さえ部材１３４によって孔１３０内の（図３における）下側、右側の面に押圧されて固定される。さらに、ガイドバー２８の端部２８Ｂが孔１２６内の（図３における）下側、右側の面に位置決めされて固定され、同様にガイドバー３０の端部３０Ｂが孔１２８内の（図３における）下側、右側の面に位置決めされて固定される。したがって、二本のガイドバー２８、３０は、その両端部２８Ａ、２８Ｂ、３０Ａ、３０Ｂが同じ方向に押圧されて固定されるので、ガイドバー２８とガイドバー３０を互いに平行に、且つ、光軸Ｌに平行に固定することができる。よって、ガイドバー２８、３０を選択部品とした場合にも、ガイドバー２８、３０を常に光軸Ｌに平行に固定することができる。
【００５９】
たとえば、保持枠３２、３４のガイド部１１０、１１４のガイド孔を加工した際の精度に応じて、ガイドバー２８、３０を、外径が僅かに異なるピンに変更することがあるが、この場合にも、ガイドバー２８、３０の両端が孔１２８、１３０の同じ面に押圧されて固定されるので、ガイドバー２８、３０を光軸Ｌに平行に固定することができる。したがって、ガイドバー２８、３０の両方をメインガイドとした際に（たとえば本実施の形態のようにガイドバー２８を保持枠３２のメインガイドとし、ガイドバー３０を保持枠３４のメインガイドとした際に）、高い光学性能を得ることができる。
【００６０】
また、本実施の形態によれば、二本のガイドバー２８、３０をそれぞれメインガイドとして使用することができるので、保持枠３２のガイド部１１０と保持枠３４のガイド部１１４を別々のガイドバー２８、３０に配置することができる。このように、光軸Ｌ方向に長いガイド部１１０、１１４を二本のガイドバー２８、３０に分けて配置することによって、ガイド部１１０、１１４の設置スペースを光軸Ｌ方向に大きく確保する必要がなくなり、レンズ装置１０を光軸Ｌ方向に小型化することができる。
【００６１】
また、本実施の形態によれば、レンズ鏡胴本体１１の孔１２８、１３０がガイドバー２８、３０の端部２８Ａ、３０Ａよりも大きく開口されているので、ガイドバー２８、３０の径を変えた場合にも対応することができ、ガイドバー２８、３０を選択部品とすることができる。
【００６２】
さらに、本実施の形態では、押さえ部材１３２（又は１３４）に中空部１３２ｈが形成されているので、圧入部１３２ｂがガイドバー２８（又は３０）の端部２８Ａ（又は３０Ａ）に倣って弾性変形しやすくなり、圧入部１３２ｂによってガイドバー２８（又は３０）の端部２８Ａ（又は３０Ａ）を確実に押圧することができる。
【００６３】
また、本実施の形態では、押さえ部材１３２（又は１３４）に係合突起１３２ｃが形成されており、この係合突起１３２ｃがレンズ鏡胴本体１１の係合部１２８ｆに係合されるので、押さえ部材１３２（又は１３４）が脱落することを防止することができる。さらに本実施の形態では、押さえ部材１３２（又は１３４）の本体１３２ａによってガイドバー２８（又は３０）が軸方向に移動することを防止することができるので、ガイドバー２８（３０）が軸方向に脱落することを防止することができる。
【００６４】
また、本実施の形態では、押さえ部材１３２（又は１３４）の本体１３２ａに中空部１３２ｄを設けたので、ガイドバー２８（又は３０）の固定状態を中空部１３２ｄを介して視認することができる。
【００６５】
なお、上述した実施形態は、ガイドバー２８、３０の端部２８Ａ、３０Ａをそれぞれ、図３の右下コーナー部に押圧するようにしたが、押圧する方向はこれに限定するものではなく、どの方向に押圧してもよい。ただし、ガイドバー２８、３０は同じ方向に押圧することが好ましい。また、ガイドバー２８、３０の端部２８Ｂ、３０Ｂは端部２８Ａ、２８Ｂと同じ方向に押圧することが好ましい。
【００６６】
また、上述した実施形態は、二本のガイドバー２８、３０を設けた例で説明したが、三本以上のガイドバーを設ける場合にも適用することができる。この場合にも、全てのガイドバーを同じ方向に押圧して固定することによって、全てのガイドバーを高い平行度で固定することができる。
【図面の簡単な説明】
【００６７】
【図１】実施の形態に係るレンズ装置を示す側断面図
【図２】レンズ鏡胴本体に各構成部品を組み込んだ状態のレンズ装置を示す平面図
【図３】レンズ鏡胴本体にガイドバーを組み込んだ状態を示す斜視図
【図４】押さえ部材を示す斜視図
【図５】押さえ部材の正面図及び背面図
【図６】取付孔を示す正面図
【図７】ガイドバーの固定状態を示す断面図
【図８】ガイドバーの端部が圧入される孔を前方から見た斜視図
【図９】ガイドバーの端部の圧入固定状態を説明する説明図
【符号の説明】
【００６８】
１０…レンズ装置、１１…レンズ鏡胴本体、１２…第１レンズ群、１４…第２レンズ群、１６…第３レンズ群、１８…第４レンズ群、２８…ガイドバー、３０…ガイドバー、３２…保持枠、３４…保持枠、１１０…ガイド部、１１２…回り止め部、１１４…ガイド部、１１６…回り止め部、１３２…押さえ部材、１３２ａ…本体、１３２ｂ…圧入部、１３２ｃ…係合突起、１３２ｄ…中空部、１３２ｅ…上辺部、１３２ｆ…側辺部、１３２ｇ…斜辺部、１３２ｈ…中空部、１３２ｉ…中空部、１３４…押さえ部材
【図１】
2010066713.tif 000003
【図２】
2010066713.tif 000004
【図３】
2010066713.tif 000005
【図４】
2010066713.tif 000006
【図５】
2010066713.tif 000007
【図６】
2010066713.tif 000008
【図７】
2010066713.tif 000009
【図８】
2010066713.tif 000010
【図９】
2010066713.tif 000011